(57)【要約】【課題】  年齢に関係なく、誰にでも簡単に、かつ楽しく点字を学ぶことができる点字学習機を提供する。【解決手段】  筺体２の上面の６個の嵌合凹部８のいずれかに、透明のブロック９を挿入し、それが点字配列をなしたとき、検出手段より発せられる信号に基づいて、点字文字をスピーカより発声するとともに、ブロック９を発光させる。【選択図】  図１
2005321517.tif 000002
【特許請求の範囲】
【請求項１】
表面に点字文字を配列可能な６個の嵌合凹部が形成された筺体と、
前記６個の嵌合凹部に下端部が着脱自在に挿入される６個のブロックと、
該各ブロックが嵌合凹部に挿入されたことを検出する検出手段と、
前記嵌合凹部に挿入されたブロックが点字文字の配列をなしたとき、前記検出手段からの検出信号に基づいて、該点字文字の配列に対応する音声信号に変換する音声合成装置と、
該音声合成装置からの音声信号の出力に基づいて、前記点字文字の配列に対応する音声を出力するスピーカと、
を備えることを特徴とする点字学習機。
【請求項２】
表面に点字文字を配列可能な６個の嵌合凹部が形成された筺体と、
前記６個の嵌合凹部に下方に押圧された状態で下端部が挿入された６個のブロックと、
該各ブロックが引き上げられたことを検出する検出手段と、
前記いずれかのブロックが引き上げられ、その上方に突出したブロックが点字文字の配列をなしたとき、前記検出手段からの検出信号に基づいて、該点字文字の配列に対応する音声信号に変換する音声合成装置と、
該音声合成装置からの音声信号の出力に基づいて、前記点字文字の配列に対応する音声を出力するスピーカと、
を備えることを特徴とする点字学習機。
【請求項３】
前記検出手段が、ブロックの下端部に埋設された永久磁石と、該永久磁石の下方の筺体に設けられ、永久磁石と接近又は離間したとき信号を発するセンサーとからなるものである請求項１または２に記載の点字学習機。
【請求項４】
ブロックを透光性を有するものとするとともに、ブロックの下方の筺体内に、ブロックが点字文字の配列をなしたとき、前記検出手段からの検出信号に基づいて発光する発光手段を設けた請求項１ないし３のいずれかに記載の点字学習機。
【請求項５】
点字文字配列の母音と子音を表すブロックに対応する前記発光手段が、それぞれ異なる発光色で発光するようにした請求項４に記載の点字学習機。
【請求項６】
６個の嵌合凹部が形成された筺体の上面を方形に凹ませることにより、６個の嵌合凹部を囲む周囲に、枠状ガイドを形成した請求項１ないし５のいずれかに記載の点字学習機。
【発明の詳細な説明】
【技術分野】
【０００１】
本発明は、例えば目の見える晴眼者が、視覚、聴覚、触覚を通して点字を学ぶことができるようにした点字学習機に関する。
【背景技術】
【０００２】
晴眼者が、点字の基本を学ぶ簡単な学習方法としては、例えば縦３個、横２列の合計６個よりなる点字配列の凹部に、点字の模型を挿入し、それを視覚と触覚とにより学ぶ方法がある。
【０００３】
また、点字シートの一行を指でなぞって、対応する押ボタンを押すと、シート番号及び行番号を識別し、シート番号及び行番号に対応する予め登録しておいたデータを音声として出力するようにした点字学習機もある（例えば、特許文献１参照）。
【０００４】
【特許文献１】特開平６−２８９７７４号公報（第２頁、第１図）
【発明の開示】
【発明が解決しようとする課題】
【０００５】
しかしながら、上記前者の学習方法では、点字を視覚と触覚と接触だけで学習するため、正確に覚えるまでに多くの時間がかかる。また、面白さがないため、学齢前の幼児等では学習意欲が涌かず、すぐ飽きてしまう。
【０００６】
一方、上記特許文献１に記載の点字学習機は、晴眼者が点字を基本から学ぶものとしては不向きであり、また学習の操作が面倒であるため、上記と同様、幼児等にはすぐに飽きられることが予想される。
【０００７】
本発明は、上記問題点を解決するためになされたもので、年齢に関係なく、誰にでも簡単に、かつゲーム感覚で楽しく点字を学ぶことができるようにした点字学習機を提供することを目的としている。
【課題を解決するための手段】
【０００８】
上記目的を達成するために、本発明の請求項１に記載の点字学習機は、
表面に点字文字を配列可能な６個の嵌合凹部が形成された筺体と、
前記６個の嵌合凹部に下端部が着脱自在に挿入される６個のブロックと、
該各ブロックが嵌合凹部に挿入されたことを検出する検出手段と、
前記嵌合凹部に挿入されたブロックが点字文字の配列をなしたとき、前記検出手段からの検出信号に基づいて、該点字文字の配列に対応する音声信号に変換する音声合成装置と、
該音声合成装置からの音声信号の出力に基づいて、前記点字文字の配列に対応する音声を出力するスピーカと、
を備えることを特徴としている。
この特徴によれば、筺体の表面に形成された６個の嵌合凹部のうちのいずれかにブロックが挿入され、該挿入されたブロックが点字文字の配列となると、該点字文字の配列に対応する文字がスピーカより音声として出力されるので、文字を読めない子供など、年齢に関係なく、点字を、視覚と聴覚と触覚により確認しながら、簡単に、かつゲーム感覚で楽しく学ぶことができる。
【０００９】
本発明の請求項２に記載の点字学習機は、
表面に点字文字を配列可能な６個の嵌合凹部が形成された筺体と、
前記６個の嵌合凹部に下方に押圧された状態で下端部が挿入された６個のブロックと、
該各ブロックが引き上げられたことを検出する検出手段と、
前記いずれかのブロックが引き上げられ、その上方に突出したブロックが点字文字の配列をなしたとき、前記検出手段からの検出信号に基づいて、該点字文字の配列に対応する音声信号に変換する音声合成装置と、
該音声合成装置からの音声信号の出力に基づいて、前記点字文字の配列に対応する音声を出力するスピーカと、
を備えることを特徴としている。
この特徴によれば、６個の嵌合凹部に挿入された、いずれかのブロックが引き上げられ、その上方に突出したブロックが点字文字の配列となると、該点字文字の配列に対応する文字がスピーカより音声として出力されるので、文字を読めない子供など、年齢に関係なく、点字を、視覚と聴覚と触覚により確認しながら、簡単に、かつゲーム感覚で楽しく学ぶことができる。
【００１０】
本発明の請求項３に記載の点字学習機は、請求項１または２に記載の点字学習機であって、
前記検出手段が、ブロックの下端部に埋設された永久磁石と、該永久磁石の下方の筺体に設けられ、永久磁石と接近又は離間したとき信号を発するセンサーとからなるものであることを特徴としている。
この特徴によれば、簡単な構成の検出手段で、ブロックが嵌合凹部に挿入されたこと、又は上方に引き上げられたことを確実に検出することができる。
【００１１】
本発明の請求項４に記載の点字学習機は、請求項１ないし３のいずれかに記載の点字学習機であって、
ブロックを透光性を有するものとするとともに、ブロックの下方の筺体内に、ブロックが点字文字の配列をなしたとき、前記検出手段からの検出信号に基づいて発光する発光手段を設けたことを特徴としている。
この特徴によれば、ブロックが点字文字の配列となると、該配列された透光性のブロックが発光手段により発光するので、点字を音声と光との相乗作用で、より効果的に、かつ楽しく学ぶことができる。
【００１２】
本発明の請求項５に記載の点字学習機は、請求項４に記載の点字学習機であって、
点字文字配列の母音と子音を表すブロックに対応する前記発光手段が、それぞれ異なる発光色で発光するようにしたことを特徴としている。
この特徴によれば、母音と子音を表すブロックがそれぞれ異なる発光色で発光するので、母音と子音の関係及び点字配列を、視覚を通して区別して学ぶことができる。
【００１３】
本発明の請求項６に記載の点字学習機は、請求項１ないし５のいずれかに記載の点字学習機であって、
６個の嵌合凹部が形成された筺体の上面を方形に凹ませることにより、６個の嵌合凹部を囲む周囲に、枠状ガイドを形成したことを特徴としている。
この特徴によれば、筺体の上面における６個の嵌合凹部の周囲が、枠状ガイドにより囲まれているので、目の不自由な人でも、嵌合凹部の形成位置を容易に知ることができ、点字学習機を使うことができる。
【発明を実施するための最良の形態】
【００１４】
以下、本発明の実施形態を図面に基づいて説明する。
【００１５】
図１ないし図４は、本発明の点字学習機の第１の実施形態を示すもので、点字学習機１の方形箱状をなす筺体２の上面板３の中央部には、前後方向に長い長方形の凹部４が形成され、その凹面には、縦３個、横２列の合計６個の円形をなす嵌合孔５が穿設されている。なお、上面板３の中央部に形成された凹部４により、該凹部４の周囲に枠状ガイド６が形成されている。
【００１６】
図２に示すように、上面板３における凹部４の下面には、透光性の底板７が固着され、この底板７の上面と上記嵌合孔５とにより有底の嵌合凹部８が形成されている。
【００１７】
各嵌合凹部８には、上端が球面をなす透明なアクリル樹脂等よりなる円柱状の６個のブロック９の下端部が、着脱自在に挿入されるようになっている。また、各ブロック９の下端部の中央には、検出手段としての永久磁石１０が埋設されている。
【００１８】
各嵌合凹部８と対向する底板７の下面には、不透光性材料よりなる有底円筒状の照明ブラケット１１の上端部が圧嵌され、この照明ブラケット１１の内底面には、赤色（Ｒ）、緑色（Ｇ）、青色（Ｂ）の発光素子を有し、７色に発光可能な発光手段としてのフルカラー発光ダイオード（ＬＥＤ）等よりなる照明１２が取付けられている。各照明１２は、リード線１３により、筺体２内の基板１４に植設されたトランジスタ素子１５に接続されている（図３参照）。
【００１９】
各照明ブラケット１１内において底板７の下面には、例えばリードスイッチ等よりなる検出手段としてのセンサー１６が取付けられ、ブロック９が嵌合凹部８に差し込まれたとき、その永久磁石１０と接近することによりオン（検出）となり、その検出信号は、リード線１７を介して上記トランジスタ素子１５と、筺体２内に設けた音声合成装置１８と、に出力されるようになっている。
【００２０】
音声合成装置１８には、筺体２の両側板２ａの内面に取付けられた左右２個のスピーカ１９、１９が接続され、スピーカ１９より出力された音は、側板２ａに穿設された多数の小孔２０（放音部）を介して聴くことができる。
【００２１】
上記第１の実施形態の点字学習機１により点字を学ぶには、まず、例えば全ての嵌合凹部８からブロック９を取外した状態で、いずれか１個又は複数の嵌合凹部８にブロック９を挿入する。このときのブロック９の配列が点字文字の配列をなしたとき、センサー１６から検出信号が音声合成装置１８に出力され、音声合成装置１８は、該受信した検出信号に基づいて、該検出信号を点字文字の配列に対応する音声信号に変換し、該変換した音声信号をスピーカ１９に出力する。該音声合成装置１８からの音声信号の出力に基づいて、スピーカ１９からは前記点字文字の配列に対応する音声が出力されることになる。
【００２２】
具体的には、例えば図４に示すように、センサー１６より出力される検出信号に基づいて、各ブロック９に対応する下方の照明１２が点灯し、該照明１２からの光が透光性の底板７を透してブロック９まで到達され、該ブロック９が発光するとともに、スピーカ１９より点字文字が音声で発せられる。
【００２３】
これにより、点字を視覚と聴覚とにより確認しながら正しく学習し得るとともに、指を触れることにより、触覚でも学ぶことができる。
【００２４】
また、ブロック９を透光性部材にて構成し、各嵌合凹部８の下方に照明１２を設ける用にすることで、各ブロック９にＬＥＤ等を埋設する場合に比べ、構造を簡素化できる。
【００２５】
この際、文字配列の母音と子音に対応するブロック９を、それぞれ異なる発光色で発光させるようにしてもよい。すなわち、図４において２点鎖線で囲んだ左上方の３個の母音部２１と、同じく右下方の３個の子音部２２とを異なる発光色で発光させる。このようにすると、母音と子音の関係や点字配列を区別して学ぶことができる。
【００２６】
また、母音の「ア、イ、ウ、エ、オ」に対応するブロック９を、例えば赤、黄、橙、緑、青により発光させ、子音に対応する他のブロック９は、例えば白色光により発光させるようにしてもよい。
【００２７】
図５及び図６は、本発明の第２の実施形態の点字学習機を示すもので、この実施形態の点字学習機２３は、上記同様、上面板３に形成された６個の嵌合凹部８内に、６個のブロック２４を下方に押圧された状態に保持し得るように常時挿入しておき、いずれかのブロック２４を引き上げて上方に突出させるようにしたもので、その他の構成は上記と同じである。
【００２８】
図６に示すように、透明をなす各ブロック２４の下端の外周面には、嵌合凹部８が形成された上面板３の裏面に当接するストッパ鍔部２４ａが形成されているとともに、下面の中央部には、永久磁石２５が、下方に突出させて嵌着されている。
【００２９】
上記ストッパ鍔部２４ａは、透明な有底２６に形成された有底のガイド筒部２６ａ内に摺動自在に嵌合され、かつガイド筒部２６ａの内底面とブロック２４の下面との間には、該ブロック２４を上向きに付勢する圧縮コイルばね２７が縮設されている。また、ガイド筒部２６ａの内底面中央には、永久磁石２５の下端が吸着される鉄片２８が埋設されている。
【００３０】
ガイド筒部２６ａの下面には、上記第１の実施形態と同様の照明ブラケット１２が取付けられ、その内部には照明１２とセンサー１６が設けられている。検出手段としてのセンサー１６は、上記とは反対に、磁石２５と接近しているときオフとなり、離間したときオン（検出）するようになっている。
【００３１】
第２の実施形態の点字学習機２３により点字を学ぶには、まず全てのブロック２４を下方に押圧し、永久磁石２５を鉄片２８に吸着させた状態とする。このとき、全てのセンサー１６はオフとなっている。この状態で、いずれか１個又は複数のブロック２４を手でつまみ、上方に引き上げる。すると、永久磁石２５が鉄片２８より離れ、ブロック２４は、圧縮コイルばね２７により上方に突出した状態に保持され、かつ同時に、センサー１６が作動する。これにより上記第１の実施形態と同様、上方に突出したブロック２４が点字文字の配列をなしたとき、そのブロック２４の下方の照明１２が点灯し、該ブロック２４が発光するとともに、スピーカ１９より点字文字（図５の状態では「オ」）が音声で発せられる。
【００３２】
この第２の実施形態の点字学習機２３においても、上記と同様、点字を視覚と聴覚とにより確認しながら学習し得るとともに、点字文字の配列となったブロック２４は、他のブロック２４よりも上方に突出しているので、これを指で触れることにより、触覚でも学ぶことだできる。
【００３３】
なお、上記第１の実施形態においては６個の嵌合凹部８と、それに挿入される６個のブロック９を有する点字学習機１としたが、図７に示すように、６個の嵌合凹部８を有するマスを１個増やしたものとすることができる。
【００３４】
このようにすると、濁音、拗音、特殊音、記号、数字などの点字配列を学ぶことができる。
【００３５】
また、点字学習機１をパソコン等に接続し得るようにし、センサー１６より出力される情報をパソコンに入力して、点字配列をパソコンのスピーカより発声させたり、再度点字学習機１にフィードバックして、そのスピーカ１９より発声させたり、ブロック９を発光させたりすることもできる。
【００３６】
また、上記各実施形態において、発光手段として赤色（Ｒ）、緑色（Ｇ）、青色（Ｂ）の発光素子を有するフルカラーＬＥＤからなる照明１２を適用していたが、例えば赤色（Ｒ）、緑色（Ｇ）、青色（Ｂ）それぞれに単色発光可能なＬＥＤ等を複数設けることで、複数色に発光できるようにしてもよい。
【００３７】
さらに、特に詳細な図示はしないが、嵌合凹部８内に挿入されたブロック９の配列が点字文字の配列となったとき、センサー１６からの出力に基づいて、該点字文字の配列に対応する文字を表示する表示手段（例えば液晶表示器等）を設けてもよく、このようにすれば、点字文字の配列に対応する文字を、聴覚だけでなく、視覚によっても認識することができる。
【００３８】
また、スピーカ１９による音声は、ブロック９を配列したときに即出力されるようにしてもよいし、あるいは配列が変更されたときから所定時間（例えば１〜３秒）が経過してから該点字文字の配列に対応する文字が音声として出力されるようにしてもよく、任意に変更可能である。
【図面の簡単な説明】
【００３９】
【図１】本発明の点字学習機の第１の実施形態を示す斜視図である。
【図２】同じく、図１のII−II線の拡大縦断正面図である。
【図３】同じく、上面板を取外した状態の斜視図である。
【図４】同じく、使用例を示す平面図である。
【図５】本発明の点字学習機の第２の実施形態を示す斜視図である。
【図６】同じく、図５のVI−VI線の拡大縦断正面図である。
【図７】嵌合凹部を６個増やした変形例を示す斜視図である。
【符号の説明】
【００４０】
１                点字学習機
２                筺体
２ａ              側板
３                上面板
４                凹部
５                嵌合孔
６                枠状ガイド
７                底板
８                嵌合凹部
９                ブロック
１０              永久磁石（検出手段）
１１              照明ブラケット
１２              照明
１３              リード線
１４              基板
１５              トランジスタ素子
１６              センサー（検出手段）
１７              リード線
１８              音声合成装置
１９              スピーカ
２０              小孔
２１              母音部
２２              子音部
２３              点字学習機
２４              ブロック
２４ａ            ストッパ鍔部
２５              永久磁石
２６              底板
２６ａ            ガイド筒部
２７              圧縮コイルばね
２８              鉄片
【図１】
2005321517.tif 000003
【図２】
2005321517.tif 000004
【図３】
2005321517.tif 000005
【図４】
2005321517.tif 000006
【図５】
2005321517.tif 000007
【図６】
2005321517.tif 000008
【図７】
2005321517.tif 000009